(57)【要約】【課題】食べ物を食す場合、当然飲用水も欲しくなり飲用するものであるが、ペットボトル等とトレー状容器の双方を持ったまま食べ物を食べたり飲用水を飲んだりできるものが切望されている。【解決手段】本発明は、底面１ａと側面１ｂとからなるトレー状容器１の底面の略中央に内筒部２を立設させ、内筒部の頂部には内フランジ状の係着部２ａを形成し、係着部には多数の切り込み線２ｂを刻設すると共に、係着部の下方はボトル類Ｂの首部Ｂａと肩部Ｂｂの上方と相似する形状の内筒部を形成しボトル類の上方に装着するものであり、更に、トレー状容器を閉蓋する蓋体３の内筒部と合致する位置にボトル類のキャップと首部フランジとを貫通させる内径の円孔３ａを穿設したものである。【選択図】図１
2004244095.tif 000002
【特許請求の範囲】
【請求項１】
底面と側面とからなるトレー状容器の前記底面の略中央に頂部が前記側面の頂部と同じ高さか若干低い高さの内筒部を立設させ、該内筒部の頂部には内径がボトル類の首部の外径と略同じか若干小径とした内フランジ状の係着部を形成し、該係着部には放射状に多数の切り込み線を刻設すると共に、前記係着部の下方はボトル類の首部と肩部の上方と相似する形状の内筒部を形成しボトル類の上方に装着することを特徴とするボトル類用トレー状容器。
【請求項２】
前記トレー状容器を閉蓋する蓋体の前記内筒部と合致する位置にボトル類のキャップとキャップの下端に備えられた首部フランジとを貫通させる内径の円孔を穿設したことを特徴とする請求項１に記載のボトル類用トレー状容器。
【発明の詳細な説明】
【０００１】
【産業上の利用分野】
本発明は、ペットボトル又は瓶等のボトル類の首部に装着するボトル類用トレー状容器に関するものであり、更に詳細には、ボトル類の首部に装着した状態で食べ物を食し、又、飲用水を飲用できるボトル類用トレー状容器に関するものである。
【０００２】
【従来技術】
従来、この種のペットボトル又は瓶等のボトル類は飲料水等を充填してコンビニエンスストア、スーパーマーケット、自動販売機等で大量に市販されており、一方、トレー状容器は弁当、カレーライス、丼物、スナック、フライドポテト、フライドチキン等を収納してコンビニエンスストア、スーパーマーケット、デパートの地下街、ファーストフード店等で多種類のものが販売されている。
【０００３】
又、飲用水を充填したボトル類の首部の周辺に装着するものとしてはキャップを容易に開封できるキャップオープナー兼販促品の収納具（特許文献１参照）のようなものや、食べ物の容器類に取り付けるものとしては、容器類の上部周縁部に着脱自在にはめ込み、装飾物を取り付ける（特許文献２参照）のようなものしか開示されていない実情である。
【０００４】
【特許文献１】
特開２００２−８７４９５号公報
【特許文献２】
特開平６−２９７９００号公報
【０００５】
【解決しようとする課題】
然し乍ら、食べ物を食す場合、当然飲用水も欲しくなり飲用するものであるが、野球やサッカー等のスーボツを観戦するような時に食したり飲用したりする場合、狭いスペースの観戦席に座って周囲に気を配りながら食したり飲用したりしているが、左手にトレー状容器を持ち、右手で箸やスプーンを持って食べたり、手づかみで食べたりしており、飲用水を飲用したい場合は側に置かれたペットボトル等を何れかの手で把持して飲用しており、飲んだ後のペットボトル等は又床等に置いており、転倒させないように細心の注意を払っているものであり、ペットボトル等とトレー状容器の双方を持ったまま食べ物を食べたり飲用水を飲んだりできるものが切望されている。
【０００６】
【課題を解決するための手段】
本発明は、前述の課題に鑑み、鋭意研鑽の結果、請求項１に記載のボトル類用トレー状容器は、底面と側面とからなるトレー状容器の底面の略中央に頂部が側面の頂部と同じ高さか若干低い高さの内筒部を立設させ、内筒部の頂部には内径がボトル類の首部の外径と略同じか若干小径とした内フランジ状の係着部を形成し、係着部には多数の切り込み線を刻設すると共に、係着部の下方はボトル類の首部と肩部の上方と相似する形状の内筒部を形成しボトル類の上方に装着するものであり、更に、トレー状容器を閉蓋する蓋体の内筒部と合致する位置にボトル類のキャップと首部フランジとを貫通させる内径の円孔を穿設したものである。
【０００７】
【発明の作用】
本発明のボトル類用トレー状容器は、底面の略中央に内筒部を立設させ、頂部にボトル類の首部が貫通する係着部とボトル類の首部と肩部の上方と相似する形状の内筒部を形成したことによって、トレー状容器の略中央にボトル類の首部を挿通させて装着することができることから、片手でボトル類の胴部を把持することによって、トレー状容器も一緒に持つことを可能とし、他方の手で食べ物を口に運ぶことを可能とし、ボトル類からの飲用水はストローを用いて飲用するものである。
【０００８】
従って、本発明の目的は、飲用水の充填されたペットボトル等のボトル類の首部に食べ物が収納されたトレー状容器を装着して、ボトル類の胴部を把持することによって、トレー状容器も持つことができるボトル類用トレー状容器を提供するものである。
【０００９】
【発明の実施の形態】
以下、本発明のボトル類用トレー状容器の実施の形態の図面によって具体的に説明する。
【００１０】
図１は本発明のボトル類用トレー状容器の実施の形態を説明するための分解斜視図であり、図２は本発明のボトル類用トレー状容器の実施の形態を説明するための断面説明図であり、図３は本発明のボトル類用トレー状容器の実施の形態を説明するためのトレー状容器の蓋体を開いた状態の平面図である。
【００１１】
本発明は、ペットボトル又は瓶等のボトル類の首部に装着するボトル類用トレー状容器に関するものであり、更に詳細には、ボトル類の首部に装着した状態で食べ物を食し、又、飲用水を飲用できるボトル類用トレー状容器に関するものであり、請求項１に記載のボトル類用トレー状容器は、底面１ａと側面１ｂとからなるトレー状容器１の前記底面１ａの略中央に頂部が前記側面１ｂの頂部と同じ高さか若干低い高さの内筒部２を立設させ、該内筒部２の頂部には内径がボトル類Ｂの首部Ｂａの外径と略同じか若干小径とした内フランジ状の係着部２ａを形成し、該係着部２ａには放射状に多数の切り込み線２ｂを刻設すると共に、前記係着部２ａの下方はボトル類Ｂの首部Ｂａと肩部Ｂｂの上方と相似する形状の内筒部２を形成しボトル類Ｂの上方に装着するものである。
【００１２】
更に、請求項２に記載のボトル類用トレー状容器は、請求項１に記載のボトル類用トレー状容器において、前記トレー状容器１を閉蓋する蓋体３の前記内筒部２と合致する位置にボトル類Ｂのキャップとキャップの下端に備えられた首部フランジＢｄとを貫通させる内径の円孔３ａを穿設したものである。
【００１３】
即ち、本発明のボトル類用トレー状容器を装着するボトル類Ｂとは、汎用されているプラスチック製のペットボトル、ガラス製の瓶等のことであり、コーラ、ジュース、コーヒー、お茶等の飲料水を充填して、コンビニエンスストアー、スーパーマーケット、自動販売機等で販売されているものである。
【００１４】
そして、ペットボトルは載置するための底部と、筒状の胴部Ｂｃと、上方に窄まる肩部Ｂｂと、肩部Ｂｂの上方の首部Ｂａと、首部Ｂａに膨出させた首部フランジＢｄと、上端に開口させた口部とから成り、更に、前記首部Ｂａの口部近傍の外周に螺子を形成するか、螺子を形成した口部を開口させた首部Ｂａを別部材で形成して溶着しており、前記螺子に開封確認機構を備えてキャップで閉蓋しており、又、ガラス製の瓶は口部の頂部に環状の膨出部を形成しキャップをかしめて閉蓋しているものや、口部の内側に円柱状のコルクを挿入させて閉蓋しているものである。
【００１５】
次に、トレー状容器１は底面１ａと側面１ｂとからなる合成樹脂の単層、合成樹脂と積層された紙、或いは、アルミ箔を被覆したもの等で成形された円盤状、矩形状のものであるが、図示する実施の形態では単層の合成樹脂で形成した円盤状のものである。
【００１６】
そして、内筒部２はトレー状容器１の底面１ａの略中央に一体に立設させているもので、トレー状容器１の側面１ｂの頂部と同じ高さか若干低い高さに形成するものであり、図示する実施の形態では若干低く形成しているものである。
【００１７】
次いで、係着部２ａは内筒部２の頂部に形成しているもので、係着部２ａの内径はボトル類Ｂの首部Ｂａの外径と略同じか若干小径とした内フランジ状のものであり、係着部２ａには放射状に且つ等間隔に多数の切り込み線２ｂを刻設して、弾性を付加させてボトル類Ｂの首部Ｂａ又は首部フランジＢｄに安定的に固定させるものである。
【００１８】
更には、係着部２ａの下方はボトル類Ｂの首部Ｂａと肩部Ｂｂの上方と相似する形状の内筒部２を形成しているもので、つまり、係着部２ａの外周からボトル類Ｂの首部Ｂａに沿って円筒状に延設させ、更に、その下方はボトル類Ｂの肩部Ｂｂに沿って下方に拡がる截台円錐状に形成し、更に、下方は底面１ａに延設されており、内筒部２の内側をボトル類Ｂの上方に密着させい嵌着しトレー状容器１を装着するものである。
【００１９】
更に、本発明のボトル類用トレー状容器の蓋体３は必要に応じて閉蓋させるものであるが、蓋体３をトレー状容器１に閉蓋した状態でトレー状容器１の内筒部２と合致する位置にボトル類Ｂのキャップを貫通させる内径の円孔３ａを穿設してものである。
【００２０】
次いで、蓋体３は図１に図示する如く、トレー状容器１の外周縁部とヒンジ部４を介して接続されたものでも、別体の蓋体３でも構わないもので、更に、トレー状容器１に収納した食べ物が内筒部２からこぼれる可能性が有る場合は、円孔３ａをトレー状容器１の内筒部２の頂面と接触するようにテーパー状の凹部３ｂを介設しても構わないものである。
【００２１】
そして、図３に図示する如く、トレー状容器１の底面１ａには側面１ｂと内筒部２とに亘って、複数（図示の場合３つ）の仕切部５を一体に且つ放射状に立設させているもので、トレー状容器１に収納される食べ物を区分けして収納すると同時にトレー状容器１を補強しているものであり、仕切部５は収納する食べ物に合わせてその形状や数量は変化させて形成したり、必要がなければあえて仕切部５を形成する必要もないものである。
【００２２】
次いで、本発明のボトル類用トレー状容器は、飲用水の充填されたボトル類Ｂと食べ物が収納されたトレー状容器１を別々に携帯し、食べ物を食べながら飲用水を飲用したい場合、トレー状容器１の底面１ａ側から内筒部２にボトル類Ｂのキャップ側から挿通させるものである。
【００２３】
そうすると、内筒部２の形状がボトル類Ｂの上方の形状と相似しているために密着し安定して装着できると共に、内筒部２の頂部に設けた係着部２ａには複数の切り込み線２ｂを形成しているため、更に、係着部２ａの内周縁部がボトル類Ｂの首部Ｂａ又は首部フランジＢｄに弾性力を付加して係着するもので、ボトル類Ｂの上方に安定した状態でトレー状容器１が装着されるものである。
【００２４】
そして、トレー状容器１の蓋体３を開けると共に、ボトル類Ｂのキャップを取り外し、トレー状容器１に収納された食べ物を箸、スプーン等の道具を用いて、又は、手づかみで食し、飲用水が飲用したい場合は、予め差し込んでいたストローＳで吸引飲用するものである。
【００２５】
【発明の効果】
本発明のボトル類用トレー状容器は、前述の構成により、飲用水の充填されたボトル類Ｂの上方に安定して食べ物が収納されたトレー状容器が装着され、ボトル類の下方を片手で把持することにより、食べ物と飲用水を自在に口にすることができるもので、画期的で実用性の高い発明である。
【図面の簡単な説明】
【図１】図１は本発明のボトル類用トレー状容器の実施の形態を説明するための分解斜視図である。
【図２】図２は本発明のボトル類用トレー状容器の実施の形態を説明するための断面説明図である。
【図３】図３は本発明のボトル類用トレー状容器の実施の形態を説明するためのトレー状容器の平面図である。
【符号の説明】
１      トレー状容器
１ａ    底面
１ｂ    側面
２      内筒部
２ａ    係着部
２ｂ    切り込み線
３      蓋体
３ａ    円孔
３ｂ    凹部
４      ヒンジ部
５      仕切部
Ｂ      ボトル類
Ｂａ    首部
Ｂｂ    肩部
Ｂｃ    ボトル胴部
Ｂｄ    首部フランジ
Ｓ      ストロー
【図１】
2004244095.tif 000003
【図２】
2004244095.tif 000004
【図３】
2004244095.tif 000005